(57)【特許請求の範囲】
【請求項１】
コンクリート柱又はコンクリート梁からなる既存コンクリート構造物の耐震補強構造であって、
断面コ字形本体の上下に水平補強リブ、水平補強リブの端部に垂直補強リブを形成し、垂直補強リブが既存コンクリート柱又は既存コンクリート梁の一面側に接し、隣り合う水平補強リブが接するように連設され、垂直補強リブと既存コンクリート柱又は既存コンクリート梁が固定ボルトで固定される補強部材と
補強部材と既存コンクリート柱又は既存コンクリート梁に囲まれた空間に充填される固化剤と、からなることを特徴とする既存コンクリート構造物の耐震補強構造。
【請求項２】
補強部材の外周に繊維シートを配置することを特徴とする請求項１に記載の既存コンクリート構造物の耐震補強構造。
【請求項３】
補強部材を連設配置する際、隣り合う水平補強リブを連結ボルトで連結するための連結ボルト用孔を水平補強リブに形成することを特徴とする請求項１又は２に記載の既存コンクリート構造物補強構造。
【請求項４】
補強部材と既存コンクリート柱又は既存コンクリート梁に囲まれた空間に複数の主筋と複数の主筋間にフープ筋を配筋することを特徴とする請求項１ないし３のいずれか１項に記載の既存コンクリート構造物の耐震補強構造。
【請求項５】
既存コンクリート柱又は既存コンクリート梁に配置したあと施工アンカーの突出部を主筋又はフープ筋の近傍に位置させることを特徴とする請求項４に記載の既存コンクリート構造物の耐震補強構造。
【請求項６】
補強部材を金属製又は樹脂製とすることを特徴とする請求項１ないし５のいずれか１項に記載の既存コンクリート構造物の耐震補強構造。
【発明の詳細な説明】
【技術分野】
【０００１】
本発明は、コンクリート柱又はコンクリート梁からなる既存コンクリート構造物の耐震補強構造に関する。
【背景技術】
【０００２】
従来、既存コンクリート構造物の耐震補強構造として、既存コンクリート柱の補強必要長さにほぼ対応する長さにわたって一対のＬ字形のガイド部材を既存コンクリート柱の一面側にアンカーボルトで固定し、ガイド部材に一対の鋼板を接触させて固定して補強枠体を形成し、既存コンクリート柱と補強枠体に囲まれた空間にコンクリートを充填する耐震補強構造が提案されている。
【先行技術文献】
【特許文献】
【０００３】
【特許文献１】特開２０１５−８６６９０号公報
【発明の概要】
【発明が解決しようとする課題】
【０００４】
しかしながら、従来の既存コンクリート構造物の耐震補強構造は、一対のガイド部材と一対の鋼板を組み立てて補強枠体を形成するため、組み立て作業に時間を要し、結果として高コストの耐震補強構造になるという問題点を有する。
【０００５】
本発明は、従来技術の持つ課題を解決するもので、構造が簡単で、製造が容易で組み立て作業が短時間ですむ既存コンクリート構造物の耐震補強構造を提供することを目的とする。
【課題を解決するための手段】
【０００６】
本発明の既存コンクリート構造物の耐震補強構造は、前記課題を解決するために、コンクリート柱又はコンクリート梁からなる既存コンクリート構造物の耐震補強構造であって、断面コ字形本体の上下に水平補強リブ、水平補強リブの端部に垂直補強リブを形成し、垂直補強リブが既存コンクリート柱又は既存コンクリート梁の一面側に接し、隣り合う水平補強リブが接するように連設され、垂直補強リブと既存コンクリート柱又は既存コンクリート梁が固定ボルトで固定される補強部材と、補強部材と既存コンクリート柱又は既存コンクリート梁に囲まれた空間に充填される固化剤と、からなることを特徴とする。
【０００７】
また、本発明の既存コンクリート構造物の耐震補強構造は、補強部材の外周に繊維シートを配置することを特徴とする。
【０００８】
また、本発明の既存コンクリート構造物の耐震補強構造は、補強部材を連設配置する際、隣り合う水平補強リブを連結ボルトで連結するための連結ボルト用孔を水平補強リブに形成することを特徴とする。
【０００９】
また、本発明の既存コンクリート構造物の耐震補強構造は、補強部材と既存コンクリート柱又は既存コンクリート梁に囲まれた空間に複数の主筋と複数の主筋間にフープ筋を配筋することを特徴とする。
【００１０】
また、本発明の既存コンクリート構造物の耐震補強構造は、既存コンクリート柱又は既存コンクリート梁に配置したあと施工アンカーの突出部を主筋又はフープ筋の近傍に位置させることを特徴とする。
【００１１】
また、本発明の既存コンクリート構造物の耐震補強構造は、補強部材を金属製又は樹脂製とすることを特徴とする。
【発明の効果】
【００１２】
コンクリート柱又はコンクリート梁からなる既存コンクリート構造物の耐震補強構造であって、断面コ字形本体の上下に水平補強リブ、水平補強リブの端部に垂直補強リブを形成し、垂直補強リブが既存コンクリート柱又は既存コンクリート梁の一面側に接し、隣り合う水平補強リブが接するように連設され、垂直補強リブと既存コンクリート柱又は既存コンクリート梁が固定ボルトで固定される補強部材と、補強部材と既存コンクリート柱又は既存コンクリート梁に囲まれた空間に充填される固化剤と、からなることで、一定形状の補強部材を連接するだけで既存コンクリート柱、既存コンクリート梁の一面側への補強部材の配置、固定作業が容易に実施可能であり、固化剤により既存コンクリート柱、既存コンクリート梁と補強部材が一体化されると、補強部材の上下の補強リブが補強部の耐震性をより向上させることが可能となる。
補強部材の外周に繊維シートを配置することで、引張強度とエネルギー減衰性を向上することが可能となる。
補強部材を連設配置する際、隣り合う水平補強リブを連結ボルトで連結するための連結ボルト用孔を水平補強リブに形成することで、上下方向、水平方向への補強部材の連設作業を容易にすることが可能となる。
補強部材と既存コンクリート柱又は既存コンクリート梁に囲まれた空間に複数の主筋と複数の主筋間にフープ筋を配筋することで、耐震性能をより向上させることが可能となる。
既存コンクリート柱又は既存コンクリート梁に配置したあと施工アンカーの突出部を主筋又はフープ筋の近傍に位置させることで、既存コンクリート柱、既存コンクリート梁と補強部との一体性を向上させることが可能となる。
補強部材を金属製又は樹脂製とすることで、入手、成形が容易で低価格の補強部材とすることが可能となる。
【図面の簡単な説明】
【００１３】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【発明を実施するための形態】
【００１４】
本発明の実施の形態を図により説明する。図１は、本発明の既存コンクリート構造物耐震構造に用いる補強部材の斜視図であり、図２は、補強部材の上面図、図３は、補強部材の正面図である。
【００１５】
補強部材１は、断面コ字形の本体部２と、本体部２の上下に水平に内側に伸びる上下水平補強リブ３、４と、コ字形の本体部２の端部と上下水平補強リブ３、４と連結する左右垂直補強リブ５、６から構成される。
【００１６】
左右垂直リブ５，６には、既存コンクリート柱、既存コンクリート梁の一面に固定ボルトで固定するための固定ボルト用孔７が複数形成される。
【００１７】
上下水平補強リブ３、４には、補強部材１を連設する際、隣り合う上下水平補強リブ３，４を連結ボルトで連結するための連結ボルト用孔８が複数形成される。
【００１８】
補強部材１は、一定の強度を有し、成形の容易性を考慮して鋼等の金属や強化樹脂等の樹脂で形成される。
【００１９】
図４、図５は、既存コンクリート柱９の一面側に補強部材１を配置する耐震補強の一実施形態を示す図である。床又は基礎１０から立設する既存コンクリート柱９の一面側に、補強部材１の左右垂直補強リブ５、６が接するように配置する。左右垂直補強リブ５、６に形成した固定ボルト用孔７を通して固定ボルト１１を既存コンクリート柱９に打ち込む補強部材１を既存コンクリート柱９に固定する。
【００２０】
補強部材１の既存コンクリート柱９への固定は、床又は基礎１０と接する位置から順に上方向に連設する。補強部材１を上方向に連設する際、下部に位置する補強部材１の上水平補強リブ３に形成した連結ボルト用孔８と上部に位置する補強部材１の下水平補強リブ４に形成した連結ボルト用孔８に連結ボルト１２を挿入してナットで固定する。
【００２１】
補強部材１と既存コンクリート柱９に囲まれた空間に上方に伸びる主筋１３を複数配置する。主筋１３の下端部は、床又は基礎１０に形成した穴に固定する。複数の主筋１３間
に所定高さ毎にフープ筋１４を配置する。
【００２２】
既存コンクリート柱９には所定高さ毎のあと施工アンカー１５を埋設配置する。あと施工アンカー１５の突出部の先端に定着板１６を固定し、定着板１６を主筋１３又はフープ筋１４の近傍に位置させる。
【００２３】
既存コンクリート柱９の補強対象位置まで補強部材１の連設が終了し、主筋１３とフープ筋１４の配筋が終了すると、補強部材１の外周に繊維シート１７を接着剤を介して配置する。繊維シート１７の端部を延長し延長部分を既存コンクリート柱９の側面に接着剤を介して固定する。
【００２４】
補強部材１の外周への繊維シート１７の配置が終了すると、補強部材１と既存コンクリート柱９に囲まれた空間に固化剤を充填する。固化剤としては高流動性コンクリート等が用いられる。一定期間の養生を経て、既存コンクリート柱９と補強部材１が一体に固定される。
【００２５】
図６は、既存コンクリート梁１８の一面側に補強部材１を配置する耐震補強の一実施形態を示す図である。既存コンクリート梁１８の一面側に、補強部材１の左右垂直補強リブ５、６が接するように配置する。左右垂直補強リブ５、６に形成した固定ボルト用孔７を通して固定ボルト１１を既存コンクリート柱９に打ち込む補強部材１を既存コンクリート梁１８に固定する。
【００２６】
既存コンクリート梁１８の補強対象範囲に沿って補強部材１を横方向に連設する。隣り合う補強部材１の上水平補強リブ３と下補強リブ４に形成した連結ボルト用孔８に連結ボルト１２を挿入してナットで固定する。
【００２７】
補強部材１と既存コンクリート梁１８に囲まれた空間に水平に伸びる主筋１３を複数配置する。複数の主筋１３間に所定間隔毎にフープ筋１４を配置する。
【００２８】
既存コンクリート梁１８には所定間隔毎にあと施工アンカー１５を埋設配置する。あと施工アンカー１５の突出部の先端に定着板１６を固定し、定着板１６を主筋１３又はフープ筋１４の近傍に位置させる。
【００２９】
既存コンクリート梁１８の補強対象位置まで補強部材１の連設が終了し、主筋１３とフープ筋１４の配筋が終了すると、補強部材１の外周に繊維シート１７を接着剤を介して配置する。繊維シート１７の端部を延長し延長部分を既存コンクリート梁１８の側面に接着剤を介して固定する。
【００３０】
補強部材１の外周への繊維シート１７の配置が終了すると、補強部材１と既存コンクリート梁１８に囲まれた空間に固化剤を充填する。固化剤としては高流動性コンクリート等が用いられる。一定期間の養生を経て、既存コンクリート柱９と補強部材１が一体に固定される。
【００３１】
以上のように、本発明の既存コンクリート構造物の耐震補強構造は、一定形状の補強部材を連接するだけで既存コンクリート柱、既存コンクリート梁の一面側への補強部材の配置、固定作業が容易に実施可能であり、固化剤により既存コンクリート柱、既存コンクリート梁と補強部材が一体化されると、補強部材の上下の補強リブが補強部の耐震性をより向上させることが可能となる。
【符号の説明】
【００３２】
１：補強部材、２：断面コ字形本体、３：上水平補強リブ、４：下水平補強リブ、５：左垂直補強リブ、６：右垂直補強リブ、７：固定ボルト用孔、８：連結ボルト用孔、９：既存コンクリート柱、１０：床又は基礎、１１：固定ボルト、１２：連結ボルト、１３：主筋、１４：フープ筋、１５：あと施工アンカー、１６：定着板、１７：繊維シート、１８：既存コンクリート梁
【要約】
【課題】構造が簡単で、製造が容易で組み立て作業が短時間ですむ既存コンクリート構造物の耐震補強構造を提供することを目的とする。
【解決手段】コンクリート柱及びコンクリート梁からなる既存コンクリート構造物の耐震補強構造であって、断面コ字形本体の上下に水平補強リブ、水平補強リブの端部に垂直補強リブを形成し、垂直補強リブが既存コンクリート柱及び既存コンクリート梁の一面側に接し、隣り合う水平補強リブが接するように連設され、垂直補強リブと既存コンクリート柱及び既存コンクリート梁が固定ボルトで固定される補強部材と、補強部材と既存コンクリート柱及び既存コンクリート梁に囲まれた空間に充填される固化剤と、からなることを特徴とする。
【選択図】  図４【図１】
0005943531.tif 000002
【図２】
0005943531.tif 000003
【図３】
0005943531.tif 000004
【図４】
0005943531.tif 000005
【図５】
0005943531.tif 000006
【図６】
0005943531.tif 000007